(57)【要約】【課題】不所望な赤外線スペクトルおよび紫外線スペクトルの捕捉およびフィルタ除去を最少の装置技術的な費用で可能にする。【解決手段】少なくとも部分的に反射鏡（４）によって包囲されている組込みランプ（２）、特に高圧放電ランプを備え、反射鏡（４）が反射鏡ネック部（８）を介して口金（１２）に結合され光出射口（２８）を有する反射形ランプにおいて、反射鏡（４）の光出射口（２８）が間接に又は直接に、不所望な光スペクトルを吸収または反射する光学的スペクトルフィルタを有する覆い板装置（３０）によって少なくとも部分的に覆われている。【選択図】図１
2007027128.tif 000002
【特許請求の範囲】
【請求項１】
少なくとも部分的に反射鏡（４）によって包囲されている組込みランプ（２）を備え、反射鏡（４）が反射鏡ネック部（８）を介して口金（１２）に結合され光出射口（２８）を有する反射形ランプにおいて、反射鏡（４）の光出射口（２８）が間接に又は直接に、不所望な光スペクトルを吸収または反射する光学的スペクトルフィルタを有する覆い板装置（３０）によって少なくとも部分的に覆われていることを特徴とする反射形ランプ。
【請求項２】
覆い板装置（３０）は紫外線波長領域および／または赤外線波長領域の光の僅かな透過を有することを特徴とする請求項１記載の反射形ランプ。
【請求項３】
覆い板装置（３０）は被覆された又はドープされたガラスから成る少なくとも１つのフィルタ板（４８）から構成されることを特徴とする請求項１又は２記載の反射形ランプ。
【請求項４】
覆い板装置（３０）はフィルタ作用を持たない少なくとも１つのガラス板を有することを特徴とする請求項１乃至３の１つに記載の反射形ランプ。
【請求項５】
覆い板装置（３０）はほぼ円形断面を有することを特徴とする請求項１乃至４の１つに記載の反射形ランプ。
【請求項６】
覆い板装置（３０）は複数の低光屈折膜および高光屈折膜を備えた干渉フィルタ膜を有することを特徴とする請求項１乃至５の１つに記載の反射形ランプ。
【請求項７】
覆い板装置（３０）は、１つのフィルタ遮断波長（５４）が紫外線スペクトル領域内に位置し、および／または１つのフィルタ遮断波長（５６）が可視スペクトル領域から赤外線スペクトル領域への移行領域内に位置するように最適化されていることを特徴とする請求項１乃至６の１つに記載の反射形ランプ。
【請求項８】
覆い板装置（３０）は少なくとも部分的に反射鏡（４）の受入れ部内に入れられていることを特徴とする請求項１乃至７の１つに記載の反射形ランプ。
【請求項９】
覆い板装置（３０）はフィルタ保持体（３２）を介して反射鏡（４）に結合されていることを特徴とする請求項１乃至７の１つに記載の反射形ランプ。
【請求項１０】
フィルタ保持体（３２）は、周囲側を反射鏡（４）の輪郭にほぼ合わされている正面キャップ（３４）であることを特徴とする請求項９記載の反射形ランプ。
【請求項１１】
覆い板装置（３０）はフィルタ保持体（３２）の端面（４０）上に配置されるか又は少なくとも部分的にフィルタ保持体（３２）の固定部内に入れられていることを特徴とする請求項９又は１０記載の反射形ランプ。
【請求項１２】
フィルタ保持体（３２）の円筒状固定部（４４）は光出射側が縮小されて覆い板装置（３０）のための受入れ部（４２）を形成していることを特徴とする請求項９乃至１１の１つに記載の反射形ランプ。
【請求項１３】
フィルタ保持体（３２）は端面側をほぼ環状のフランジ（３６）を介して反射鏡（４）に取付けられていることを特徴とする請求項９乃至１２の１つに記載の反射形ランプ。
【請求項１４】
フィルタ保持体（３２）は、反射鏡（４）上にフィルタ保持体（３２）を心出しするための心出し突起（３８）を有することを特徴とする請求項９乃至１３の１つに記載の反射形ランプ。
【請求項１５】
覆い板装置（３０）はフィルタ保持体（３２）または反射鏡（４）に保持要素を介して結合され、および／またはフィルタ保持体（３２）は反射鏡（４）に保持要素を介して結合されていることを特徴とする請求項８乃至１４の１つに記載の反射形ランプ。
【請求項１６】
覆い板装置（３０）はフィルタ保持体（３２）または反射鏡（４）に結合剤を介して結合され、および／またはフィルタ保持体（３２）は反射鏡（４）に結合剤を介して結合されていることを特徴とする請求項８又は１５記載の反射形ランプ。
【請求項１７】
フィルタ保持体（３２）は耐熱材料から構成されていることを特徴とする請求項９乃至１６の１つに記載の反射形ランプ。
【請求項１８】
組込みランプ（２）はキセノンランプであることを特徴とする請求項１乃至１７の１つに記載の反射形ランプ。
【発明の詳細な説明】
【技術分野】
【０００１】
本発明は、少なくとも部分的に反射鏡によって包囲されている組込みランプ、特に高圧放電ランプを備え、反射鏡が反射鏡ネック部を介して口金に結合され光出射口を有する反射形ランプに関する。
【背景技術】
【０００２】
本発明による反射形ランプは原理的に多数の異なる光用途において光源として使用されている。しかし、反射形ランプの主たる適用分野は医用技術および投射技術、特に内視鏡またはプロジェクタであってもよい。
【０００３】
この種の反射形ランプは例えば製品記号“ＸＢＯ（登録商標）Ｒ”にてインターネットドメイン“ｗｗｗ．ｏｓｒａｍ  ｄｅ”に記述されている。従来のこの反射形ランプは主としてＸＢＯ（登録商標）高圧放電ランプから構成され、この高圧放電ランプは組込みランプとして押型ガラスから成る反射鏡内に入れられ、部分的に反射鏡によって包囲されている。この種の高圧放電ランプは、光スペクトルの可視成分の他に、不所望な紫外線および赤外線を放出する。紫外線および赤外線は可視光のみを利用する光用途、例えば内視鏡技術または投射技術において邪魔になる。というのは、適用機器の光学部品が、赤外線成分に基づいて過熱され、又は紫外線によって早期の老化を惹き起こされるからである。さらに、高い内圧状態（約５〜１５バール）にある放電管を備えたこの種の反射形ランプは放電管が破裂した場合に発生する破片および小片によって人間および機器に危険を及ぼすことがある。
【０００４】
赤外線成分を減らすために、一般的な従来技術により、この種の反射形ランプの反射鏡がコールドミラーを備え、コールドミラーが高圧放電ランプから放出された赤外線の一部を透過させ、それによりこの不所望な光スペクトルが適用機器の光学部品に達しないようにすることが知られている。さらに、この種の高圧放電ランプの放電管をドープされた石英ガラスから形成し、それにより約２５０〜１００ｎｍおよびそれ以下の短波紫外線領域（ＵＶＣ領域）の紫外線成分を吸収するようにすることも知られている。しかし、反射形ランプから放出された赤外線成分および紫外線成分は特に高級な光適用においてはまだ高すぎ、それゆえ適用機器内に付加的な光学的フィルタ板を組み込むことによって、光学部品、例えば光導体または集光器に可視波長領域の所望の光スペクトルだけを供給するために、紫外線および／または赤外線を減少させることが必要である。この解決策は確かに赤外線スペクトルの効率的な捕捉および紫外線成分のフィルタ除去を可能にするが、しかしながら適用機器内に付加的なフィルタ板を必要とするのでコスト的に高価になる。
【発明の開示】
【発明が解決しようとする課題】
【０００５】
本発明の課題は、従来の解決手段に比べて不所望な赤外線スペクトルおよび紫外線スペクトルの捕捉およびフィルタ除去を最少の装置技術的な費用で可能にする反射形ランプを提供することにある。
【課題を解決するための手段】
【０００６】
この課題は、本発明によれば、少なくとも部分的に反射鏡によって包囲されている組込みランプ、特に高圧放電ランプを備え、反射鏡が反射鏡ネック部を介して口金に結合され光出射口を有する反射形ランプにおいて、反射鏡の光出射口が間接に又は直接に、不所望な光スペクトルを吸収または反射する光学的スペクトルフィルタを有する覆い板装置によって少なくとも部分的に覆われていることによって解決される。
【０００７】
本発明の実施態様は次の通り列記される。
覆い板装置は紫外線波長領域および／または赤外線波長領域の光の僅かな透過を有する（請求項２）。
覆い板装置は被覆された又はドープされたガラスから成る少なくとも１つのフィルタ板から構成される（請求項３）。
覆い板装置はフィルタ作用を持たない少なくとも１つのガラス板を有する（請求項４）。
覆い板装置はほぼ円形断面を有する（請求項５）。
覆い板装置は複数の低光屈折膜および高光屈折膜を備えた干渉フィルタ膜を有する（請求項６）。
覆い板装置は、１つのフィルタ遮断波長が紫外線スペクトル領域、特に３６０〜４００ｎｍの波長領域内に位置し、および／または１つのフィルタ遮断波長が可視スペクトル領域から赤外線スペクトル領域への移行領域、特に７００〜８００ｎｍの波長領域内に位置するように最適化されている（請求項７）。
覆い板装置は少なくとも部分的に反射鏡の受入れ部内に入れられている（請求項８）。
覆い板装置はフィルタ保持体を介して反射鏡に結合されている（請求項９）。フィルタ保持体は、周囲側を反射鏡の輪郭にほぼ合わされている正面キャップである（請求項１０）。覆い板装置はフィルタ保持体の端面上に配置されるか又は少なくとも部分的にフィルタ保持体の固定部内に入れられている（請求項１１）。フィルタ保持体の円筒状固定部は光出射側が縮小されて覆い板装置のための受入れ部を形成している（請求項１２）。フィルタ保持体は端面側をほぼ環状のフランジを介して反射鏡に取付けられている（請求項１３）。フィルタ保持体は、反射鏡上にフィルタ保持体を心出しするための心出し突起を有する（請求項１４）。
覆い板装置はフィルタ保持体または反射鏡に保持要素、特に保持舌片を介して結合され、および／またはフィルタ保持体は反射鏡に保持要素、特に保持舌片を介して結合されている（請求項１５）。覆い板装置はフィルタ保持体または反射鏡に結合剤、特に接着剤を介して結合され、および／またはフィルタ保持体は反射鏡に結合剤、特に接着剤を介して結合されている（請求項１６）。フィルタ保持体は耐熱材料、好ましくはプラスチックから構成されている（請求項１７）。
組込みランプはキセノンランプである（請求項１８）。
【０００８】
本発明による反射形ランプは、少なくとも部分的に反射鏡によって包囲されている組込みランプ、特に高圧放電ランプを備え、反射鏡は反射鏡ネック部を介して口金に結合され光出射口を有する。本発明によれば、反射鏡の光出射口は間接に又は直接に、反射鏡に組込まれ不所望な光スペクトルを吸収または反射する光学的スペクトルフィルタを有する覆い板装置によって少なくとも部分的に覆われている。本発明は、光学的スペクトルフィルタを有する覆い板装置によって、不所望な光スペクトルの捕捉もしくはフィルタ除去を可能にすると共に、可視波長領域における光の高い透過率を可能にする。覆い板装置を適切に選択することによって、赤外線成分および／または紫外線成分を捕捉もしくはフィルタ除去することが可能になる。それによって、一般的な従来技術に比べて、適用機器の光路に付加的なフィルタ板を設置することを省略することができる。さらに、覆い板装置によって、放電管が破裂した場合に、人間および機器が破片および小片から保護される。
【０００９】
本発明の特に優れた実施態様によれば、覆い板装置は紫外線波長領域および／または赤外線波長領域の光の僅かな透過を有する。これによって、可視光を利用する光用途のために、不所望な紫外線成分および／または赤外線成分が覆い板装置によって殆どフィルタ除去され、適用機器の光学部品の赤外線成分による過熱、および光学部品の紫外線による早期の老化が防止される。
【００１０】
覆い板装置は被覆された又はドープされたガラスから成る少なくとも１つのフィルタ板から構成されると好ましい。被覆された又はドープされたガラスから成るフィルタ板を使用することによって、良好な熱―光分離と紫外線のフィルタリングとが達成されると共に、可視波長領域における高い透過が達成される。ドープされたガラスから成るフィルタ板は定められた光波長領域、特に赤外線領域における選択的吸収の点で優れている（防熱ガラス）。
【００１１】
覆い板装置はほぼ円形断面を有すると好ましい。
【００１２】
本発明の１つの実施態様によれば、覆い板装置はフィルタ作用を持たない少なくとも１つのガラス板を有する。付加的なガラス板によって、覆い板装置の破片防護作用がさらに改善され、フィルタ板が外部からの損傷に対して防護される。
【００１３】
覆い板装置が複数の低光屈折膜および高光屈折膜を備えた干渉フィルタ膜を有することは特に有利であることが判明している。干渉フィルタ膜の膜設計に基づいて、干渉作用によって、可視光領域における高い透過と、同時に不所望な光スペクトルの反射とが達成される。
【００１４】
覆い板装置は、１つのフィルタ遮断波長が紫外線スペクトル領域、特に３６０〜４００ｎｍの波長領域内に位置し、および／または１つのフィルタ遮断波長が可視スペクトル領域から赤外線スペクトル領域への移行領域、特に７００〜８００ｎｍの波長領域内に位置するように最適化されていると好ましい。急傾斜のフィルタ遮断波長に基づいて、不所望な紫外線光スペクトルおよび／または赤外線光スペクトルが消去されて、可視波長領域における光の良好な透過が達成される。
【００１５】
本発明の１つの実施態様において、覆い板装置は少なくとも部分的に反射鏡の受入れ部内に入れられている。これによって反射形ランプのコンパクトな構造が可能になる。
【００１６】
本発明の特に優れた実施態様によれば、覆い板装置はフィルタ保持体を介して反射鏡に結合されている。
【００１７】
フィルタ保持体は、周囲側を反射鏡の輪郭にほぼ合わされている正面キャップであると好ましい。
【００１８】
本発明の１つの実施態様において、覆い板装置はフィルタ保持体の端面上に配置されるか又は少なくとも部分的に正面キャップの固定部内に入れられている。
【００１９】
フィルタ保持体の円筒状固定部が光出射側を縮小されて覆い板装置のための受入れ部を形成していることは特に有利であることが判明している。受入れ部の縮小された端面に基づいて、覆い板装置は反射形ランプのコンパクトな構造の場合に縮小でき、これによって破片防護作用がより一層改善される。
【００２０】
フィルタ保持体は端面側をほぼ環状のフランジを介して反射鏡に取付け可能であると好ましい。フィルタ保持体を反射鏡上に位置決めしかつ心出しするために、フィルタ保持体は、反射鏡の光出射口内に食込む環状の心出し突起を有すると好ましい。
【００２１】
本発明の１つの優れた実施態様において、覆い板装置はフィルタ保持体または反射鏡に保持要素、特に保持舌片を介して結合され、および／またはフィルタ保持体は反射鏡に保持要素、特に保持舌片を介して結合されている。
【００２２】
本発明の他の実施態様によれば、覆い板装置はフィルタ保持体または反射鏡に結合剤、特に接着剤を介して結合され、および／またはフィルタ保持体は反射鏡に結合剤、特に接着剤を介して結合されている。
【００２３】
フィルタ保持体は耐熱材料、好ましくはプラスチックから構成されていると有利であることが判明している。
【００２４】
組込みランプはキセノンランプであると好ましい。この種のショートアークランプは高輝度を可能にし、しかも高い演色評価数（Ｒａ＞）と共に可視領域における連続スペクトルを可能にする。
【００２５】
本発明による反射形ランプは好ましくは技術機器、特に内視鏡に使用される。
【発明を実施するための最良の形態】
【００２６】
以下において本発明を優れた実施例に基づいて詳細に説明する。
図１は覆い板装置を備えた本発明による反射形ランプの概略図、
図２は図１の本発明による反射形ランプの透過特性線と従来の反射形ランプの透過特性線を示す透過特性線図である。
【００２７】
本発明を以下において組込みランプとしてＸＢＯ（登録商標）高圧放電ランプを備えた反射形ランプに基づいて説明する。ＸＢＯ（登録商標）高圧放電ランプは例えば医用技術において内視鏡装置の光源として使用される。冒頭において既に述べたように、本発明による反射形ランプはこの種の型のランプおよび用途に全く限定されない。
【００２８】
図１は組込みランプ２を備えた本発明による反射形ランプ１の概略図を示す。組込みランプ２は、押型ガラスから成りほぼ楕円体の形状を有する反射鏡４によって部分的に包囲されている。反射鏡４は内面６に反射膜を備え、円筒状反射鏡ネック部８を介して口金１２の受入れ部１０内に嵌め込まれている。口金１２はほぼ円筒状の基体１４を有し、この基体１４はランプ側に、直径方向に配置されほぼＵ字状の２つの切欠き１６を備えている。組込みランプ２は反射鏡４の組込み位置に対して軸線方向にずらされて口金１２内に固定され、それにより組込みランプ２と口金１２との間ないしは口金１２と反射鏡ネック部８との間に通風口１８が形成されている。この通風口１８を通って、図示されていない送風機により冷却空気流が反射鏡１の口金領域内に導かれる。
【００２９】
図示された実施例においては、組込みランプ２としてショートアーク技術によるＸＢＯ（登録商標）高圧放電ランプが使用されている。このＸＢＯ（登録商標）高圧放電ランプは内部空間２２を備えた石英ガラス製放電管２０と、放電管２０の直径方向に配置され密閉された２つの軸部２４，２６とを持ち、軸部２４，２６はそれぞれリード（図示されていない）を有している。内部空間２２内には、直径方向に配置された２つの電極（図示されていない）が突入しており、これらの電極はモリブデン箔封止部を介してそれぞれ一方のリードに接続されている。２つの電極間にはランプ点灯中にガス放電が形成される。放電管２０の内部空間２２内には主として高純度のキセノンガスから成るイオン化可能な封入ガスが入れられている。このようなＸＢＯ（登録商標）高圧放電ランプ２は反射形ランプ１の高い輝度を可能にし、しかも高い演色評価数（Ｒａ＞９５）と共に可視スペクトル範囲における連続スペクトルを可能にする。電源へのＸＢＯ（登録商標）高圧放電ランプの電気的接続は、反射鏡４のケーブル引込み部を通って導かれた高電圧線（図示されていない）を介して反口金側電流引込み部で行なわれる。放電管２０の口金側軸部２６の電流引込み部は高電圧線（図示されていない）を介して電気的に接続され、口金１２のところで外部へ導かれている。両高電圧線は反射形ランプ１の外で接続コネクタ内に纏められ、この接続コネクタを介して電子的点弧・点灯装置（図示されていない）に接続されている。
【００３０】
本発明によれば、反射鏡４の光出射口２８は、不所望な光スペクトルを吸収または反射する光学的スペクトルフィルタを有する覆い板装置３０によって覆われている。本発明は光学的スペクトルフィルタを備えた覆い板装置３０に基づいて不所望な光スペクルのほぼ完全な反射または吸収を可能にし、可視光成分は覆い板装置３０によって殆ど減衰されない。覆い板装置３０を適切に選択することによって、反射形ランプ１の所望の適用分野に応じて、高圧放電ランプ２から放出された光スペクトルの赤外線成分および／または紫外線成分をフィルタ除去することが可能である。それによって、一般的な従来技術に比べて、光適用機器（図示されていない）、例えば内視鏡において付加的なフィルタ板を省略することができる。図１において、覆い板装置３０は耐熱プラスチックから成るほぼ円筒状のフィルタ保持体３２を介して反射鏡４に結合されている。フィルタ保持体３２は、周囲側を反射鏡４の輪郭に合わせられた正面キャップ３４として形成されている。正面キャップ３４は環状フランジ３６を介して反射鏡４に取付けられ、環状の心出し突起３８を介して光出射口２８に関して位置決めされる。反射形ランプ１は環状フランジ３６を介して光適用機器（図示されていない）に取付けられる。図示された反射形ランプ１の場合、正面キャップ３４は保持要素、例えば保持舌片（図示されていない）を介して反射鏡４に結合されている。覆い板装置３０を受入れるために、正面キャップ３４の端面４０は光出射側が縮小されて円錐状受入れ部４２を形成している。円錐状受入れ部４２は口金側が円筒状固定部４４に移行している。覆い板装置３０は、円錐状受入れ部４２の縮小された端面４０により、反射形ランプ１のコンパクト構造の場合に縮小でき、それによって破片防護作用を改善できる。
【００３１】
覆い板装置３０は正面キャップ３４の端面４０上に配置され、保持要素、例えば保持舌片（図示されていない）を介して正面キャップ３４に固定されている。
【００３２】
反射形ランプ１の図示されていない実施例の場合、覆い板装置３０は少なくとも部分的に正面キャップの受入れ部内に入れられている。反射形ランプ１の他の変形例の場合、覆い板装置３０は正面キャップ３４に接着剤によって結合され、および／または正面キャップ３４が反射鏡４に接着剤によって結合されている。
【００３３】
反射形ランプ１の図示された実施例の場合、覆い板装置３０は、干渉フィルタ膜（図示されていない）を備えた単一の円形のガラス製フィルタ板４８から構成されている。干渉フィルタの膜構造は、例えばスパッタリング技術でフィルタ板４８上に交互に被着された複数の低光屈折膜と複数の高低光屈折膜とから構成されている。干渉フィルタ膜の膜設計に基づいて、赤外線および紫外線の良好なフィルタリングと共に、可視波長領域における光の高い透過率が達成される。
【００３４】
代替実施例の場合、フィルタ板４８は光出射側が追加的にフィルタ作用を持たないガラス板によって覆われている。それによって、フィルタ板４８の破片防護作用がより一層改善され、フィルタ板４８が外部からの損傷に対して防護される。
【００３５】
図２には、覆い板装置３０（図１参照）を備えた本発明による反射形ランプ１の透過特性が特性線５０によって示され、“ＸＢＯ（登録商標）−Ｒ３００Ｗ／６０ＣＯＦＲ”形の従来の反射形ランプの透過特性が破線の特性線５２によって示されている。特性線５０によれば、本発明による反射形ランプ１の覆い板装置３０は、３８０ｎｍ以下の波長領域における不所望な紫外線波長領域の大部分および７８０ｎｍ以上の波長領域における不所望な赤外線波長領域の大部分が従来の反射形ランプの特性線５２に比べてフィルタ除去され、３８０〜７８０ｎｍの可視波長領域における光の高い透過率が達成されるように形成されている。これによって、可視光を利用する光用途のために、不所望な紫外線成分および赤外線成分が殆どフィルタ除去され、光路における光学部品の赤外線成分による過熱、および光学部品の紫外線による早期の老化が防止される。図２によれば、覆い板装置３０は、１つのフィルタ遮断波長５４が紫外線スペクトル領域内の約３９０ｎｍの波長に位置し、１つのフィルタ遮断波長５６が可視スペクトル領域から赤外線波長領域への移行領域内の約７５０ｎｍの波長に位置するように最適化される。フィルタ遮断波長５４，５６の領域の特性線５０の急傾斜の経過によって、不所望な紫外線および／または赤外線光スペクトルはフィルタ除去されつまり捕捉され、可視波長領域の光の良好な透過が得られる。
【００３６】
本発明による反射形ランプ１はフィルタ保持体３２を備えた上述の実施例に限定されず、寧ろ、組込みランプ２が反射鏡４内に完全に（つまり全体を）入れられている反射形ランプ１の場合、覆い板装置３０は直接に反射鏡４の受入れ部内に入れられてもよい。本発明において重要なことは、反射形ランプ１の反射鏡４の光出射口２８が間接に又は直接に、不所望な光スペクトルを吸収または反射する光学的スペクトルフィルタを有する覆い板装置３０によって少なくとも部分的に覆われていることである。
【００３７】
少なくとも部分的に反射鏡４によって包囲されている組込みランプ２、特に高圧放電ランプを備え、反射鏡４が反射鏡ネック部８を介して口金１２に結合され光出射口２８を有する反射形ランプ１が開示されている。本発明によれば、反射鏡４の光出射口２８が間接に又は直接に、不所望な光スペクトルを吸収または反射する光学的スペクトルフィルタを有する覆い板装置３０によって少なくとも部分的に覆われている。
【図面の簡単な説明】
【００３８】
【図１】覆い板装置を備えた本発明による反射形ランプの概略図
【図２】図１の本発明による反射形ランプの透過特性線と従来の反射形ランプの透過特性線を示す透過特性線図
【符号の説明】
【００３９】
１        反射形ランプ
２        組込みランプ
４        反射鏡
６        内面
８        反射鏡ネック部
１０        受入れ部
１２        口金
１４        基体
１６        切欠き
１８        通風口
２０        放電管
２２        内部空間
２４，２６  軸部
２８        光出射口
３０        覆い板装置
３２        フィルタ保持体
３４        正面キャップ
３６        フランジ
３８        心出し突起
４０        端面
４２        円筒状受入れ部
４４        円筒状固定部
４８        フィルタ板
【図１】
2007027128.tif 000003
【図２】
2007027128.tif 000004